(57)【要約】      （修正有）【課題】陽圧缶，負圧缶全ての飲料缶のタブを，小さな力で老若男女だれにでも容易に爪先で引き越しが出来る新規な缶蓋を提供する。【解決手段】蓋板側基端部２０ｂとタブ側基端部との段差を，折曲げ曲線部２０ｃ及び折込み曲線部２０ｄを介して略傾斜状に結び，タブの操作部２１を引き起こしたときタブ先端部２２ｂが下方に沈み込むことが出来るよう，蓋板上面にタブ先端部２２ｂに倣った凹状溝部１５を設け，タブの操作部２１の引き起こしのため，小さな力で爪先が容易にタブの引き越しが出来るようにする。【選択図】図２
2017019557.tif 000002
【特許請求の範囲】
【請求項１】
蓋板（１２）の上面に折り曲げ可能な取付片（２０）を介して取り付けたタブ（２）を，タブ後部の操作部（２１）を軽く引き起こし，取付片（２０）を支点として回動させ，タブ先端部（２２ｂ）と蓋板側基端部（２０ｂ）とで均衡状態となって最大の引き上げ力が集中された蓋板側基端部（２０ｂ）で，操作部（２１）をほぼ垂直に引き起こし，切れ目線（１０）の破断部（１０ｄ）を初期切断し，引き続き開口部（１１）の側面部より切断しつつ缶本体内に折り込み開口を完了する缶蓋において，
タブ操作部（２１）を容易に引き起こすことが出来るよう，タブ（２）の平坦な押圧部（２２）の上面の中心線“Ｌ”上に，折り曲げ曲線部（２０ｃ）及び蓋板側基端部（２０ｂ）を起点に，蓋板（１２）の上面に密着して先端部（２２ｂ）に向け直線凹状溝部（２０ｋ）を形成し，直線凹状溝部（２０ｋ）と折り曲げ曲線部（２０ｃ）が交差する押圧部交差部（２０ｊ）を，操作部（２１）の最初の引き起こしの支点として形成し，操作部（２１）を引き起こしたとき，押圧部交差部（２０ｊ）を支点に，折り曲げ曲線部（２０ｃ）を介してタブ側基端部（２０ｅ）が上方へ浮き上がり操作部（２１）が引き起こされることを特徴とした缶蓋。
【請求項２】
請求項１に記載の缶蓋において，前記タブ（２）の操作部（２１）を指先による引き起こし角度を大きくし，指先を掛け易くするため，タブ先端部（２２ｂ）の下側にタブ本体の厚さよりも薄くなるよう段差部（２２ｃ）を形成したことを特徴とする缶蓋。
【請求項３】
請求項１及び請求項２に記載の缶蓋において，前記タブ（２）の操作部（２１）の最初の引き起こしのとき，一層大きな角度で引き起こしが出来るよう，押圧部交差部（２０ｊ）を支点にタブ先端部（２２ｂ）が下方に沈み込めるよう，タブ先端部（２２ｂ）の形状にほぼ倣った凹状溝部（１５）を蓋板（１２）の上面に形成したことを特徴とする缶蓋。
【発明の詳細な説明】
【技術分野】
【０００１】  本発明は，ビ−ル，コ−ラ，コ−ヒ−等の飲料缶の易開封式の缶蓋（イ−ジ−オ−プンエンド）に関するものである。
【背景技術】
【０００２】  従来，ビ−ル，コ−ラ，コ−ヒ−等の飲料缶の缶蓋は，タブ機構による易開封な缶蓋として構成されている。【０００３】  飲料缶のイ−ジ−オ−プンエンドは，スティオンタブ方式が殆どで，タブが蓋板に固着されており，この固着部前方からタブ先端の押圧部方向に向けて蓋板の切れ目線により破断部が形成されている。タブ後方の操作部を引き起こすことにより固着部前部とタブ前部の押圧部によって切断される。引き続きタブを垂直に引き起こすことにより切れ目線は順次切り裂かれ，開口片は缶本体内に折り込まれて缶が開口され，次いでタブが再度元の位置に折り戻されて開口が完了するものである。
【発明の開示】
【発明が解決しようとする課題】
【０００４】  ところで，ステイオンタブ方式の問題は，開口片を形成する切れ目線を初期切断するためにタブが引き起こされ回動する際，指先を蓋板とタブの操作部の下部に差し込むための遊びが無く，丁度蓋板に密着した板バネを引き起こすことに似ており，タブの操作部の下に指の爪先を入れてタブを引き起こすには，人により大きな力の負担で，特に幼児高齢者には開口が出来ないとゆう点にある。本来望まれているバリアフリ−，つまり誰でも様々な方法で簡単に指先で開口することが出来るとゆう域に達していないのが現状である。【０００５】  本発明は，このような事情に鑑みなされたものであり，その目的は，タブをより小さな力で老若男女誰でも簡単に引き起こすことが出来るユニバ−サルデザインの缶蓋を提供することにある。
【課題を解決するための手段】
【０００６】  上記目的を達成するため，本発明の缶蓋は，次のように構成したものである。
（１）請求項１に記載の発明は、蓋板（１２）の上面に折り曲げ可能な取付片（２０）を介して取り付けたタブ（２）を，タブ後部の操作部（２１）を軽く引き起こし，取付片（２０）を支点として回動させ，タブ先端部（２２ｂ）と蓋板側基端部（２０ｂ）とで均衡状態になって最大の引き上げ力が集中された蓋板側基端部（２０ｂ）で，操作部（２１）をほぼ垂直に引き起こし，切れ目線（１０ｄ）の破断部（１０ｄ）を初期切断し，引き続き開口部（１１）の側面部より切断しつつ缶本体内に折り込みを開口を完了する缶蓋において，
タブ操作部（２１）を容易に引き起こすことが出来るよう，平坦な押圧部（２２）の上面の中心線Ｌ上に折り曲げ曲線部（２０ｃ）及び蓋板側基端部（２０ｂ）を起点に，蓋板（１２）の上面に密着して先端部（２２ｂ）に向け直線凹状溝部（２０ｋ）を形成し，直線凹状溝部（２０ｋ）と折り曲げ曲線部（２０ｃ）が交差する押圧部交差部（２０ｊ）を，操作部（２１）の最初の引き起こしの支点として形成し，操作部（２１）を引き起こしたとき，押圧部交差部（２０ｊ）を支点にタブ側基端部（２０ｅ）が上方へ浮き上がり操作部（２１）が引き起こされることを特徴としたものである。
また，前記タブ（２）の操作部（２１）を指先による引き起こし角度を大きくし，指先を掛け易くするため，タブ先端部（２２ｂ）の下側にタブ本体の厚さよりも薄くなるよう段差部（２２ｃ）を形成されていることが好ましい（請求項２）。
また，前記タブ（２）の操作部（２１）の最初の引き起こしのとき，一層大きな角度で引き起こしが出来るよう，押圧部交差部（２０ｊ）を支点にタブ先端部（２２ｂ）が下方に沈み込めるよう，タブ先端部（２２ｂ）の形状にほぼ倣った凹状溝部（１５）を蓋板（１２）の上面に形成されていることが好ましい（請求項３）。
【発明の効果】
【０００７】  以上説明したように本発明によれば，次のような優れた効果を奏する。
（１）請求項１乃至請求項３記載の発明によれば，蓋板に取り付けられたタブは引き起こしが軽くなるよう，押圧部交差部を支点に操作部が引き起こされ，更にタブ先端部の下側の段差及び蓋板上面の凹状溝部を介しタブの引き起こしを容易にすることが出来る。
（２）タブの押圧部に巾の細い直線凹状溝部だけを形成したため，従来のタブに比べタブの巾を十分小さくする事が出来，コストの削減及び地球温暖化の防止に貢献することが出来る。
【発明を実施するための最良の形態】
【０００８】  以下，本発明を実施するための最良の形態を添付図面に基ずいて詳述する。
図１乃至図１１に本発明の実施形態を示す。【０００９】  〈蓋板１２〉
図１乃至図３に示すように，蓋板１２の開口部１１は，蓋板１２の中心をほぼ含む略Ｕ字状に刻印された切れ目線１０により形成されており，蓋板１２の中心線Ｌの中心部に，タブ２の取付片２０を蓋板１２に取り付けるタブ加締部１４が形成されており，前記タブ２のタブ先端部２２ｂの真下の蓋板１２の上面に，タブ先端部２２ｂの形状に倣った凹状溝部１５が形成されている。【００１０】  〈タブ２〉
タブ２は，図４乃至図１１に示すように，開口部１１を押圧して蓋板１２から缶本体内に折り込むものである。
図４乃至図６にタブ２の構造を示す。タブ２は図４に示すように短形に形成されている。またタブ加締部１４の後方にタブ２の引き起こしを行なうタブ操作部２１が形成されていると共に，タブ押圧部２２の上面は平坦に形成されており，このタブ押圧部２２からタブ２を蓋板１２に取り付ける取付片２０の折り込み曲線部２０ｄとを結ぶ段差を折り曲げ曲線部２０ｃで結び，タブ操作部２１を引き起こしたとき，初期切断が行なわれるように，平坦な押圧部２２の上面の中心線Ｌ上に折り曲げ曲線部２０ｃ及び折り込み曲線部２０ｄを起点に，蓋板上面に密着して先端部２２ｂに向け，直線凹状溝部２０ｋが形成されている。また直線凹状溝部２０ｋと折り曲げ曲線部２０ｃが交差する押圧部交差部２０ｊが形成され，タブ操作部２１を，押圧部交差部２０ｊを介して引き起こしたとき，押圧部交差部２０ｊを支点にタブ側基端部２０ｅが上方に浮き上がり（図８参照），タブ操作部２１の最初の引き起こしが軽く引き起こされ，また操作部２１の引き起こしの角度をより大きくするために，タブ先端部２２ｂの厚さをタブ本体の厚さよりも薄く，また下側に段差部２２ｃが形成されている。【００１１】  次に，上記のように構成された缶蓋の開口動作について説明する。
図７に示すように，タブ２の操作部２１を押圧部交差部２０ｊを支点に，折り曲げ曲線部２０ｃを介して引き起こすとタブ側基端部２０ｅが上方に浮き上がり（図８参照），操作部２１は軽く引き起こされ，またタブ先端部２２ｂの段差部２２ｃ及び蓋板上面の凹状溝部１５を介し，操作部２１は更に大きな角度に引き起こされる。ここまでの動作はタブ操作部２１の単独の初期動作で指先に力が殆ど掛かることはない。次に引き起こされた操作部２１に指先を入れ図９に示すように強く引き起こすことにより，タブ先端部２２ｂを支点に蓋板側基端部２０ｂが引き上げられると共に，直線凹状溝部２２ｂにより開口部１１は抑え込まれつつ切れ目線１０ｄが初期切断される。【００１２】  そして従来のように，引き続き開口部１１を押圧し（図１０参照），切れ目線の最終端部まで切り裂き，次いでタブ２を元の位置に引き戻し（図１１参照）開口を全て完了する。【００１３】  以上，タブ操作部を指先で軽く引き起こすことにより，全ての人々がタブに十分指先を掛け容易に開口することが出来，缶容器におけるユニバ−サルデザインの一部を成し，貢献出来るよう考えられたものである。
【図面の簡単な説明】
【００１４】
【図１】  本発明の実施形態に係わる飲料缶用の缶蓋を示す平面図である。
【図２】  図１中２−２線矢視断面図である。
【図３】  本発明の実施形態に係わる飲料缶の缶蓋を示す平面図である。
【図４】  本発明の実施形態に係わる飲料缶のタブを示す平面図である。
【図５】  図４中５−５線矢視断面図である。
【図６】  図４中６−６線矢視断面図である。
【図７】  タブを軽く引き起こし均衡状態を示す図２同様の断面図である。
【図８】  図７中８−８線矢視断面図である。
【図９】  更にタブを引き起こし，初期切断した状態を示す断面図である。
【図１０】  初期切断後，更にタブを引き起こし切れ目線最終端部まで折り込んだ状態を示す断面図である。
【図１１】  タブを元に戻した状態を示す断面図である。
【符号の説明】
【００１５】      １缶蓋
２タブ
３缶本体
１０切れ目線
１０ｄ切れ目線破断部
１１開口部
１２蓋板
１４タブ加締部
１５凹状溝部
２０タブ取付片
２０ｂ蓋板側基端部
２０ｃ折曲げ曲線部
２０ｄ折込み曲線部
２０ｅタブ側基端部
２０ｋ直線凹状溝部
２０ｊ押圧部交差部
２１操作部
２２押圧部
２２ｂタブ先端部
２２ｃ段差部
Ｌ中心線
【図１】
2017019557.tif 000003
【図２】
2017019557.tif 000004
【図３】
2017019557.tif 000005
【図４】
2017019557.tif 000006
【図５】
2017019557.tif 000007
【図６】
2017019557.tif 000008
【図７】
2017019557.tif 000009
【図８】
2017019557.tif 000010
【図９】
2017019557.tif 000011
【図１０】
2017019557.tif 000012
【図１１】
2017019557.tif 000013